(57)【特許請求の範囲】
【請求項１】
異なるハイアラーキの通信網が混在するネットワークに接続され、
入力された送信ハイアラーキ信号に含まれるデータをクロスコネクト処理して送信無線フレーム信号に多重して出力するとともに、入力された受信無線フレーム信号に含まれるデータをクロスコネクト処理して受信ハイアラーキ信号に多重して出力する無線伝送装置であって、
前記送信ハイアラーキ信号を第１のデータ領域と第１のオーバーヘッド領域とに分離し、前記第１のデータ領域に含まれる送信データ信号と前記第１のオーバーヘッド領域に含まれる送信オーバーヘッド信号とを出力するデマッピング手段と、
前記送信オーバーヘッド信号から送信クロスコネクト情報信号を分離するパスオーバーヘッド分離手段と、
前記受信無線フレーム信号を第２のデータ領域と第２のオーバーヘッド領域とに分離し、前記第２のデータ領域に含まれる受信データ信号と前記第２のオーバーヘッド領域に含まれる受信無線オーバーヘッド信号とを出力するフレーム分離手段と、
前記受信無線オーバーヘッド信号から受信無線クロスコネクト情報信号を分離する無線オーバーヘッド分離手段と、
前記送信クロスコネクト情報信号及び前記受信無線クロスコネクト情報信号に基づいて接続先の装置番号及びチャネル番号を抽出し、前記接続先の装置番号及びチャネル番号に基づいてクロスコネクト制御信号を生成し、前記送信クロスコネクト情報信号を多重して送信無線クロスコネクト情報信号を出力し、前記受信無線クロスコネクト信号を多重して受信クロスコネクト情報信号を出力するクロスコネクト制御信号生成手段と、
前記クロスコネクト制御信号に基づいて、前記送信データ信号及び前記受信データ信号のクロスコネクト処理を行い、送信クロスコネクトデータ信号及び受信クロスコネクトデータ信号を出力するクロスコネクト処理手段と、
前記送信無線クロスコネクト情報信号を多重して送信無線オーバーヘッド信号を出力する無線オーバーヘッド多重手段と、
前記受信クロスコネクト情報信号を多重して受信オーバーヘッド信号を出力するパスオーバーヘッド多重手段と、
前記送信無線フレーム信号のデータ領域に前記送信クロスコネクトデータ信号を多重し、前記送信無線フレーム信号のオーバーヘッド領域に前記送信無線オーバーヘッド信号を多重して出力する無線フレーム多重手段と、
前記受信ハイアラーキ信号のデータ領域に前記受信クロスコネクトデータ信号を多重し、前記受信ハイアラーキ信号のオーバーヘッド領域に前記受信オーバーヘッド信号を多重して出力するマッピング手段と、を備えることを特徴とする、無線伝送装置。
【請求項２】
前記異なるハイアラーキの通信網の一つが、同期（ＳＤＨ）網であり、前記ハイアラーキ信号が、ＳＤＨ信号であることを特徴とする請求項１に記載の無線伝送装置。
【請求項３】
前記異なるハイアラーキの通信網の一つが、非同期（ＰＤＨ）網であり、前記ハイアラーキ信号が、ＰＤＨ信号であることを特徴とする請求項１に記載の無線伝送装置。
【請求項４】
前記クロスコネクト制御信号生成手段は、無線信号の受信時に、前記接続先の装置番号と自装置の装置番号とを照合し、一致しない場合に、前記無線フレーム多重手段に前記送信無線オーバーヘッド信号を出力し、
前記クロスコネクト処理手段は、前記無線フレーム多重手段に前記送信クロスコネクトデータ信号を出力することを特徴とする請求項１乃至３のいずれかに記載された無線伝送装置。
【請求項５】
前記パスオーバーヘッド分離手段は、前記送信オーバーヘッド信号からＶＣ−１２レベルの前記送信クロスコネクト情報信号を抽出し、前記無線オーバーヘッド分離手段は、前記受信無線オーバーヘッド信号からＥ１チャネルごとの前記受信無線クロスコネクト情報信号を抽出することを特徴とする請求項１乃至４のいずれかに記載の無線伝送装置。
【請求項６】
異なるハイアラーキの通信網が混在するネットワークにおいて、
入力された送信ハイアラーキ信号に含まれるデータをクロスコネクト処理して送信無線フレーム信号に多重して出力するとともに、入力された受信無線フレーム信号に含まれるデータをクロスコネクト処理して受信ハイアラーキ信号に多重して出力するために用いられる無線伝送方法であって、
前記送信ハイアラーキ信号を第１のデータ領域と第１のオーバーヘッド領域とに分離し、前記第１のデータ領域に含まれる送信データ信号と前記第１のオーバーヘッド領域に含まれる送信オーバーヘッド信号とを出力し、
前記送信オーバーヘッド信号から送信クロスコネクト情報信号を分離し、
前記受信無線フレーム信号を第２のデータ領域と第２のオーバーヘッド領域とに分離し、前記第２のデータ領域に含まれる受信データ信号と前記第２のオーバーヘッド領域に含まれる受信無線オーバーヘッド信号とを出力し、
前記受信無線オーバーヘッド信号から受信無線クロスコネクト情報信号を分離し、
前記送信クロスコネクト情報信号及び前記受信無線クロスコネクト情報信号に基づいて接続先の装置番号及びチャネル番号を抽出し、前記接続先の装置番号及びチャネル番号に基づいてクロスコネクト制御信号を生成し、前記送信クロスコネクト情報信号を多重して送信無線クロスコネクト情報信号を出力し、前記受信無線クロスコネクト信号を多重して受信クロスコネクト情報信号を出力し、
前記クロスコネクト制御信号に基づいて、前記送信データ信号及び前記受信データ信号のクロスコネクト処理を行い、送信クロスコネクトデータ信号及び受信クロスコネクトデータ信号を出力し、
前記送信無線クロスコネクト情報信号を多重して送信無線オーバーヘッド信号を出力し、
前記受信クロスコネクト情報信号を多重して前記受信オーバーヘッド信号を出力し、
前記送信無線フレーム信号のデータ領域に前記送信クロスコネクトデータ信号を多重し、前記送信無線フレーム信号のオーバーヘッド領域に前記送信無線オーバーヘッド信号を多重して出力し、
前記受信ハイアラーキ信号のデータ領域に前記受信クロスコネクトデータ信号を多重し、前記受信ハイアラーキ信号のオーバーヘッド領域に前記受信オーバーヘッド信号を多重して出力する、ことを特徴とする、無線伝送方法。
【発明の詳細な説明】
【技術分野】
【０００１】
本発明は、無線伝送装置及び無線伝送方法並びに制御プログラムに関する。特に、同期（ＳＤＨ：Synchronous Digital Hierarchy）網と非同期（ＰＤＨ：Plesiochronous Digital Hierarchy）網とが混在するネットワークで利用される無線伝送装置及び無線伝送方法並びに制御プログラムに関する。
【背景技術】
【０００２】
従来、クロスコネクト機能を持つＳＤＨ伝送装置で構成されたリングネットワークにおいて、ＳＤＨ信号のオーバーヘッド領域は、各ノードにクロスコネクト情報を転送する目的で用いられている。
【０００３】
ＳＤＨ信号のオーバーヘッド領域の利用に関して、例えば、特開２０００−３４１３０９号公報には、ＳＤＨ信号のＳＯＨ（Section Overhead）にフラグ情報を多重し、各ＮＥ（Network Element）へ転送する技術が記載されている。このフラグ情報は、ＮＥ番号やネットワーク番号、クロスコネクト情報等のＮＥ情報を含んでおり、各ＮＥはフラグ情報が自ＮＥに対する要求であることを検知すると、そのフラグ情報に従ってクロスコネクト情報の変更処理を行う。
【０００４】
【特許文献１】特開２０００−３４１３０９号公報
【発明の開示】
【発明が解決しようとする課題】
【０００５】
このように、本発明に関連するクロスコネクト機能を持つＳＤＨ伝送装置は、ＳＤＨ信号のＳＯＨ領域にクロスコネクト情報を多重しているため、クロスコネクト情報は、ＳＤＨ信号を扱う同期（ＳＤＨ）網のみに適用可能となる。そのため、同期（ＳＤＨ）網と非同期（ＰＤＨ）網とが混在するネットワークにおいて、非同期（ＰＤＨ）網ではクロスコネクト情報を利用することができないという問題があった。
【０００６】
本発明は、上記問題点に鑑みてなされたものであって、その主たる目的は、異なるハイアラーキの通信網が混在するネットワークにおいて、相互にクロスコネクト情報を利用可能にする無線伝送装置及び無線伝送方法並びに制御プログラムを提供することにある。
【課題を解決するための手段】
【０００７】
上記目的を達成するため、本発明の無線伝送装置は、異なるハイアラーキの通信網が混在するネットワークに接続される無線伝送装置であって、無線信号の送信時に、入力された送信ハイアラーキ信号のオーバーヘッド領域からクロスコネクト情報を分離し、送信無線フレーム信号のオーバーヘッド領域に前記クロスコネクト情報を多重して出力し、無線信号の受信時に、入力された受信無線フレーム信号のオーバーヘッド領域から前記クロスコネクト情報を分離し、受信ハイアラーキ信号のオーバーヘッド領域に前記クロスコネクト情報を多重して出力する制御手段を少なくとも備えるものである。
【０００８】
また、本発明の無線伝送方法は、異なるハイアラーキの通信網が混在するネットワークにおける無線伝送方法であって、無線信号の送信時に、入力された送信ハイアラーキ信号のオーバーヘッド領域からクロスコネクト情報を分離し、送信無線フレーム信号のオーバーヘッド領域に前記クロスコネクト情報を多重して出力する第１の処理と、無線信号の受信時に、入力された受信無線フレーム信号のオーバーヘッド領域から前記クロスコネクト情報を分離し、受信ハイアラーキ信号のオーバーヘッド領域に前記クロスコネクト情報を多重して出力する第２の処理と、を少なくとも行うものである。
【発明の効果】
【００１０】
本発明の無線伝送装置及び無線伝送方法並びに制御プログラムによれば、異なるハイアラーキの通信網が混在するネットワークにおいて、相互にクロスコネクト情報を利用可能にすることができる。
【００１１】
その理由は、無線信号の送信時には、入力信号からクロスコネクト情報を分離し、無線フレームのオーバーヘッド領域に多重して送信する制御を行うからである。また、無線信号の受信時には、無線フレームのオーバーヘッド領域からクロスコネクト情報を分離し、出力信号に多重する制御を行うからである。
【発明を実施するための最良の形態】
【００１２】
本発明による無線伝送装置は、同期（ＳＤＨ）網と非同期（ＰＤＨ）網とが混在するネットワークにおいて、無線信号の送信時には、入力されたＳＤＨ信号のＰＯＨ領域からクロスコネクト情報を分離し、分離したクロスコネクト情報を無線フレームのオーバーヘッド領域に多重して無線伝送路に送信する制御を行う。また、無線信号の受信時には、入力された無線フレームのオーバーヘッド領域からクロスコネクト情報を分離し、分離したクロスコネクト情報をＳＤＨ信号のＰＯＨ領域に多重して出力する制御を行う。
【００１３】
この制御を行う制御手段は、例えば、分離手段と、クロスコネクト処理手段と、クロスコネクト制御手段と、多重手段と、無線手段などで実現することができ、各手段は、ハードウェア又はソフトウェアとして構成することができる。
【００１４】
分離手段は、第１及び第２の実施例における無線フレーム分離回路、第１の実施例におけるＳＤＨデマッピング回路、第２の実施例におけるＰＤＨインタフェース回路などである。この分離手段は、無線信号の送信時には、入力されたＳＤＨ信号をデータ領域のデータ信号とオーバーヘッド領域のＰＯＨ信号とに分離して出力する。また、無線信号の受信時には、入力された無線フレーム信号をデータ領域のデータ信号とオーバーヘッド領域の無線オーバーヘッド信号とに分離して出力する。
【００１５】
クロスコネクト制御手段は、第１及び第２の実施例におけるクロスコネクト制御回路などである。このクロスコネクト制御手段は、無線信号の送信時には、入力されたＰＯＨ信号からクロスコネクト情報を分離し、クロスコネクト情報を用いてクロスコネクト処理手段を制御すると共に、抽出したクロスコネクト情報を多重して無線オーバーヘッド信号を出力する。また、無線信号の受信時には、入力された無線オーバーヘッド信号からクロスコネクト情報を分離し、クロスコネクト情報を用いてクロスコネクト処理手段を制御すると共に、抽出したクロスコネクト情報を多重してＰＯＨ信号を出力する。
【００１６】
クロスコネクト処理手段は、第１及び第２の実施例におけるクロスコネクト処理回路などである。このクロスコネクト処理手段は、クロスコネクト制御手段の制御に基づいて、入力されたデータ信号をクロスコネクトし、クロスコネクトデータ信号として出力する。
【００１７】
多重手段は、第１及び第２の実施例における無線フレーム多重回路、第１の実施例におけるＳＤＨマッピング回路、第２の実施例におけるＰＤＨインタフェース回路などである。この多重手段は、無線信号の送信時には、入力されたクロスコネクトデータ信号を無線フレームのデータ領域に多重し、入力された無線オーバーヘッド信号をオーバーヘッド領域に多重する。また、無線信号の受信時には、入力されたクロスコネクトデータ信号をＳＤＨ信号のデータ領域に多重し、入力されたＰＯＨ信号をオーバーヘッド領域に多重する。
【００１８】
無線手段は、第１及び第２の実施例における無線送信回路及び無線受信回路などである。この無線手段は、無線信号の送信時には、無線フレーム信号を変調して無線信号として出力し、無線信号の受信時には、無線信号を復調して無線フレーム信号として出力する。
【００１９】
このような手段を用いて、ＳＤＨ信号のＰＯＨ領域に多重された情報を無線フレームのオーバーヘッド領域に多重することにより、同期（ＳＤＨ）網の無線伝送装置でも非同期（ＰＤＨ）網の無線伝送装置でもクロスコネクト情報を利用することが可能になる。以下、図面を参照して詳細に説明する。
【実施例１】
【００２０】
本発明の第１の実施例の構成について、図１を用いて説明する。図１は、本実施例の無線伝送装置の構成を示すブロック図である。
【００２１】
本実施例の無線伝送装置は、ＳＤＨデマッピング回路１０と、クロスコネクト処理回路１１と、クロスコネクト制御回路１２と、無線フレーム多重回路１３と、無線送信回路１４と、無線受信回路１５と、無線フレーム分離回路１６と、ＳＤＨマッピング回路１７と、を含む。
【００２２】
ＳＤＨデマッピング回路１０は、ＶＣ（Virtual Container）レイヤの情報を所定単位の情報に分解する処理（デマッピング処理と呼ぶ。）を行う手段である。ここでは、ＳＤＨ入力コネクタ１から入力された送信ＳＤＨ信号１ａを規格で定められるＶＣ−１２レベルまで分解し、送信データ信号１ｂと送信ＰＯＨ信号１ｃとに分離する。
【００２３】
クロスコネクト処理回路１１は、伝送路間の接続を制御する処理（クロスコネクト処理と呼ぶ。）を行う手段である。ここでは、クロスコネクト制御回路１２からのクロスコネクト制御信号１ｄに従って、送信データ信号１ｂ及び受信データ信号１ｍのクロスコネクト処理を行う。
【００２４】
クロスコネクト制御回路１２は、クロスコネクト情報の抽出及びクロスコネクト処理回路１１の制御を行う手段である。ここでは、送信ＰＯＨ信号１ｃ及び受信無線オーバーヘッド信号１ｎからクロスコネクト情報を分離し、クロスコネクト情報に基づいてクロスコネクト制御信号１ｄを生成する。クロスコネクト情報とは、クロスコネクトの接続先と接続元の装置番号及びチャネル番号を記載した情報である。
【００２５】
無線フレーム多重回路１３は、無線フレームに信号を多重する手段である。ここでは、無線フレームのデータ領域に送信クロスコネクトデータ信号１ｅを多重し、無線フレームのオーバーヘッド領域に送信無線オーバーヘッド信号１ｆを多重する。
【００２６】
無線送信回路１４は、無線送信を実現する手段であり、送信無線フレーム信号１ｇに対して変調処理を行い、送信無線信号１ｈを無線伝送路へ出力する。なお、無線送信回路１４は２方向の無線送信機能を有するものとしてもよい。
【００２７】
無線受信回路１５は、無線受信を実現する手段であり、無線伝送路から入力された受信無線信号１ｊを受信し、復調処理を行う。なお、無線受信回路１５は無線送信回路１４と同様に２方向の無線受信機能を有するものとしてもよい。
【００２８】
無線フレーム分離回路１６は、無線フレームから信号を分離する手段である。ここでは、入力された受信無線フレーム信号１ｋをＥＴＳＩ（欧州通信規格協会）が策定した規格で定められる２ＭｂｐｓのＥ１単位に分離し、受信データ信号１ｍと受信無線オーバーヘッド信号１ｎとに分離する。
【００２９】
ＳＤＨマッピング回路１７は、所定単位の情報をＶＣに収容する処理（マッピングと呼ぶ。）を行う手段である。ここでは、ＳＤＨ信号のデータ領域に受信クロスコネクトデータ信号１ｐを多重し、ＳＤＨ信号のオーバーヘッド領域に受信ＰＯＨ信号１ｑを多重する。
【００３０】
図２は、上記クロスコネクト制御回路１２の詳細構成を示すブロック図である。クロスコネクト制御回路１２は、パスオーバーヘッド分離回路２０と、無線オーバーヘッド分離回路２１と、オペレータ入力回路２２と、クロスコネクト制御信号生成回路２３と、無線オーバーヘッド多重回路２４と、パスオーバーヘッド多重回路２５と、を含む。
【００３１】
パスオーバーヘッド分離回路２０は、送信ＰＯＨ信号１ｃからクロスコネクト情報を分離し、送信ＳＤＨクロスコネクト情報信号２ａを出力する手段である。無線オーバーヘッド分離回路２１は、受信無線オーバーヘッド信号１ｎからクロスコネクト情報を分離し、受信無線クロスコネクト情報信号２ｂを出力する手段である。オペレータ入力回路２２は、クロスコネクト制御回路１２の入力インタフェースである。
【００３２】
クロスコネクト制御信号生成回路２３は、送信ＳＤＨクロスコネクト情報信号２ａ及び受信無線クロスコネクト情報信号２ｂから接続先装置番号及びチャネル番号を抽出し、クロスコネクト制御信号１ｄを生成すると共に、送信無線クロスコネクト情報信号２ｄ及び受信ＳＤＨクロスコネクト情報信号２ｅを生成する手段である。また、クロスコネクト制御信号生成回路２３は、無線信号の受信時には、抽出した接続先装置番号と自装置の装置番号との照合を行う。
【００３３】
無線オーバーヘッド多重回路２４は、送信無線クロスコネクト情報信号２ｄを多重して送信無線オーバーヘッド信号１ｆを出力する手段である。パスオーバーヘッド多重回路２５は、受信ＳＤＨクロスコネクト情報信号２ｅを多重して受信ＰＯＨ信号１ｑを出力する手段である。
【００３４】
なお、図１及び図２では、上記各手段を回路として構成しているが、コンピュータを、上記各手段として機能させる制御プログラムとして構成し、該制御プログラムを無線伝送装置上で動作させてもよい。
【００３５】
次に、図１の回路の動作について図を参照して説明する。
【００３６】
まず、送信ＳＤＨ信号１ａがＳＤＨコネクタ１から入力されてから、送信無線信号１ｈが無線伝送路へ送信されるまでの動作について説明する。
【００３７】
ＳＤＨデマッピング回路１０は、ＳＤＨコネクタ１より入力された送信ＳＤＨ信号１ａからクロック信号の抽出を行い、送信ＳＤＨ信号１ａを分解する。そして、ＳＤＨデマッピング回路１０は、ＳＤＨ信号のデータ領域を送信データ信号１ｂとしてクロスコネクト処理回路１１へ出力する。また、ＳＤＨ信号のＰＯＨ領域を送信ＰＯＨ信号１ｃとしてクロスコネクト制御回路１２へ出力する。
【００３８】
クロスコネクト制御回路１２は、ＳＤＨデマッピング回路１０より入力された送信ＰＯＨ信号１ｃからクロスコネクト情報を分離し、クロスコネクト情報に基づいてクロスコネクト制御信号１ｄを生成し、クロスコネクト処理回路１１へ出力する。また、送信無線オーバーヘッド信号１ｆを生成し、無線フレーム多重回路１３へ出力する。
【００３９】
クロスコネクト処理回路１１は、クロスコネクト制御回路１２より入力されたクロスコネクト制御信号１ｄに基づいて、ＳＤＨデマッピング回路１０より入力された送信データ信号１ｂに対してクロスコネクト処理を行う。そして、送信クロスコネクトデータ信号１ｅとして無線フレーム多重回路１３へ出力する。
【００４０】
無線フレーム多重回路１３は、クロスコネクト処理回路１１より入力された送信クロスコネクトデータ信号１ｅを無線フレームのデータ領域に多重する。また、クロスコネクト制御回路１２より入力された送信無線オーバーヘッド信号１ｆを無線フレームのオーバーヘッド領域に多重する。そして、送信無線フレーム信号１ｇを無線送信回路１４へ出力する。
【００４１】
無線送信回路１４は、無線フレーム多重回路１３より入力された送信無線フレーム信号１ｇを変調し、送信無線信号１ｈを無線伝送路へ出力する。
【００４２】
次に、受信無線信号１ｊが無線伝送路から受信されてから、受信ＳＤＨ信号１ｒがＳＤＨ出力コネクタ２へ出力されるまでの動作について説明する。
【００４３】
無線受信回路１５は、無線伝送路から受信無線信号１ｊを受信して復調し、受信無線フレーム信号１ｋを無線フレーム分離回路１６へ出力する。
【００４４】
無線フレーム分離回路１６は、無線受信回路１５より入力された受信無線フレーム信号１ｋを分離する。そして、無線フレーム分離回路１６は、無線フレームのデータ領域を受信データ信号１ｍとしてクロスコネクト処理回路１１へ出力する。また、無線フレームのオーバーヘッド領域を受信無線オーバーヘッド信号１ｎとしてクロスコネクト制御回路１２へ出力する。
【００４５】
クロスコネクト制御回路１２は、無線フレーム分離回路１６より入力された受信無線オーバーヘッド信号１ｎからクロスコネクト情報を分離し、クロスコネクト情報に基づいてクロスコネクト制御信号１ｄを生成し、クロスコネクト処理回路１１へ出力する。また、受信ＰＯＨ信号１ｑを生成し、ＳＤＨマッピング回路１７へ出力する。
【００４６】
クロスコネクト処理回路１１は、クロスコネクト制御回路１２より入力されたクロスコネクト制御信号１ｄに基づいて、無線フレーム分離回路１６より入力された受信データ信号１ｍに対してクロスコネクト処理を行う。そして、受信クロスコネクトデータ信号１ｐをＳＤＨマッピング回路１７へ出力する。
【００４７】
ＳＤＨマッピング回路１７は、クロスコネクト処理回路１１より入力された受信クロスコネクトデータ信号１ｐをＳＤＨ信号のデータ領域に多重する。また、ＳＤＨマッピング回路１７は、クロスコネクト制御回路１２より入力された受信ＰＯＨ信号１ｑをＳＤＨ信号のオーバーヘッド領域に多重する。そして、ＳＤＨマッピング回路１７は、受信ＳＤＨ信号１ｒをＳＤＨ出力コネクタ２へ出力する。
【００４８】
次に、クロスコネクト処理回路１１及びクロスコネクト制御回路１２の動作を含めたクロスコネクト処理の流れについて、図１、図３乃至図５を参照して説明する。
【００４９】
なお、本実施例では、一例として、図５に示すように無線伝送装置をリング状に接続した非同期（ＰＤＨ）網の無線ネットワーク構成とする。図５に示す５ａ、５ｂ、５ｃ、５ｄはＳＤＨインタフェースコネクタを示しており、５００、５０１、５０２、５０３は無線伝送路を示している。また、５０、５１、５２、５３は図１に示す無線伝送装置を示している。また、図５では、本実施例の一例としてクロスコネクト処理により接続されている信号を実線及び点線で示している。
【００５０】
また、本実施例ではクロスコネクト情報に多重される接続先の装置番号及びチャネル番号により、同期（ＳＤＨ）網又は非同期（ＰＤＨ）網へのクロスコネクト処理を判断する。ここで、クロスコネクト情報に多重されるチャネル番号は、ＳＤＨデマッピング回路１０又はＳＤＨマッピング回路１７でＳＤＨ信号にデマッピング／マッピング処理されるＶＣ−１２のチャネル番号か、無線フレーム多重回路１３又は無線フレーム分離回路１６で無線フレームに多重／分離されるＥ１信号のチャネル番号である。
【００５１】
まず、ＳＤＨデマッピング回路１０より出力される送信データ信号１ｂ及び送信ＰＯＨ信号１ｃに関する処理について、図１、図２、図３及び図５を用いて説明する。本動作は、図５の無線伝送装置５０及び５２、５３の実線で示されている動作を表している。
【００５２】
まず、クロスコネクト制御回路１２（パスオーバーヘッド分離回路２０）は、ＳＤＨデマッピング回路１０より入力された送信ＰＯＨ信号１ｃから、ＶＣ−１２ごとのクロスコネクト情報を抽出する（ステップＡ１）。
【００５３】
次に、クロスコネクト制御回路１２（クロスコネクト制御信号生成回路２３）は、クロスコネクト情報から接続先の装置番号及びチャネル番号を抽出し、確認する。そして、クロスコネクト制御回路１２（クロスコネクト制御信号生成回路２３）は、接続先の装置番号及びチャネル番号に基づいてクロスコネクト制御信号１ｄを生成し、クロスコネクト処理回路１１に出力する。また、クロスコネクト制御回路１２（無線オーバーヘッド多重回路２４）は、分離したクロスコネクト情報を多重して送信無線オーバーヘッド信号１ｆとして無線フレーム多重回路１３に出力する（ステップＡ２）。
【００５４】
次に、クロスコネクト処理回路１１は、クロスコネクト制御信号１ｄに基づいて、送信データ信号１ｂを、送信クロスコネクトデータ信号１ｅとして、非同期（ＰＤＨ）網へクロスコネクト処理を行い、送信クロスコネクトデータ信号１ｅを無線フレーム多重回路１３に出力する（ステップＡ３）。
【００５５】
次に、無線フレーム多重回路１３は、無線フレームのデータ領域に、送信クロスコネクトデータ信号１ｅとして、ＶＣ−１２のデータ領域に多重された送信データ信号１ｂを多重する。また、無線フレーム多重回路１３は、無線フレームのオーバーヘッド領域に、送信無線オーバーヘッド信号１ｆとして、ＶＣ−１２のＰＯＨ領域に多重された送信ＰＯＨ信号１ｃを多重する（ステップＡ４）。
【００５６】
続いて、無線フレーム分離回路１６より出力される受信データ信号１ｍ及び受信無線オーバーヘッド信号１ｎに関する処理について、図１、図２、図４及び図５を用いて説明する。
【００５７】
まず、クロスコネクト制御回路１２（無線オーバーヘッド分離回路２１）は、無線フレーム分離回路１６より入力された受信無線オーバーヘッド信号１ｎから、無線フレームに多重されたＥ１チャネルごとのクロスコネクト情報を分離する。そして、クロスコネクト制御回路１２（クロスコネクト制御信号生成回路２３）は、クロスコネクト情報から接続先の装置番号及びチャネル番号を抽出する（ステップＢ１）。
【００５８】
次に、クロスコネクト制御回路１２（クロスコネクト制御信号生成回路２３）は、ステップＢ１にて抽出した接続先の装置番号及びチャネル番号と自装置の装置番号の照合を行う（ステップＢ２）。
【００５９】
次に、ステップＢ１にて抽出した接続先の装置番号と自装置の装置番号とが一致した場合、クロスコネクト制御信号生成回路２３は、クロスコネクト制御信号１ｄを生成してクロスコネクト処理回路１１に出力する。クロスコネクト処理回路１１は、受信データ信号１ｍを受信クロスコネクトデータ信号１ｐとして同期（ＳＤＨ）網にクロスコネクト処理を行い、受信クロスコネクトデータ信号１ｐをＳＤＨマッピング回路１７に出力する。また、クロスコネクト制御回路１２（パスオーバーヘッド多重回路２５）は、分離したクロスコネクト情報を多重して受信ＰＯＨ信号１ｑとしてＳＤＨマッピング回路１７に出力する（ステップＢ３）。
【００６０】
次に、ＳＤＨマッピング回路１７は、ＶＣ−１２のデータ領域に、受信クロスコネクトデータ信号１ｐとして、無線フレームのデータ領域に多重された受信データ信号１ｍを多重する。また、ＳＤＨマッピング回路１７は、ＶＣ−１２のＰＯＨ領域に、受信ＰＯＨ信号１ｑとして、無線フレームのオーバーヘッド領域に多重された受信無線オーバーヘッド信号１ｎを多重する（ステップＢ４）。本動作は、図５の無線伝送装置５０及び５２、５３の実線で示される動作を表している。
【００６１】
また、ステップＢ２にて抽出したクロスコネクト情報の接続先の装置番号と自装置の装置番号とが不一致の場合、クロスコネクト制御信号生成回路２３は、クロスコネクト制御信号１ｄを生成してクロスコネクト処理回路１１に出力する。クロスコネクト処理回路１１は、受信データ信号１ｍを送信クロスコネクトデータ信号１ｅとして非同期（ＰＤＨ）網へクロスコネクト処理を行う（ステップＢ５）。
【００６２】
次に、無線フレーム多重回路１３は、無線フレームのデータ領域に、送信クロスコネクトデータ信号１ｅとして、受信データ信号１ｍを多重する。また、無線フレームのオーバーヘッド領域に、送信無線オーバーヘッド信号１ｆとして、受信無線オーバーヘッド信号１ｎを多重する（ステップＢ６）。そして、無線送信回路１４は、送信無線信号１ｈを他の無線伝送装置へ転送し、送信無線信号１ｈを受信した他の無線伝送装置で同様の処理が行われる。本動作は、図５の無線伝送装置５１の実線で示される動作を表している。
【００６３】
以上、本実施例によれば、ＳＤＨのインタフェースを持つ非同期（ＰＤＨ）網の無線伝送装置において、ＳＤＨ信号のＰＯＨ領域に多重されたクロスコネクト情報を廃棄することなく、無線対向局への転送が可能になる。その理由は、ＳＤＨ信号のＰＯＨ領域に多重された信号を無線フレームのオーバーヘッド領域に多重することにより、無線対向局の無線伝送装置でもＳＤＨ信号のＰＯＨ領域に多重された信号を受信できるためである。
【００６４】
また、自局の無線伝送装置において対向局の無線伝送装置と接続される無線フレームに多重されたＥ１チャネルのクロスコネクト情報の把握が可能になる。その理由は、無線フレームのオーバーヘッド領域に無線フレームに多重されたＥ１チャネルごとのクロスコネクト情報を多重することにより、自局の無線伝送装置でも対向局の無線伝送装置のクロスコネクト情報を受信できるためである。
【００６５】
また、各無線伝送装置において自動でクロスコネクトの設定が可能になる。その理由は、ＳＤＨ信号のＰＯＨ領域及び無線フレームのオーバーヘッド領域にＶＣ−１２又は無線フレームに多重されたＥ１チャネルごとのクロスコネクトの接続先と接続元の装置番号及びチャネル番号を記載したクロスコネクト情報を多重する。そして、各無線伝送装置にて受信したクロスコネクト情報の照合を行うことにより、自動でクロスコネクトの設定が可能になるためである。
【００６６】
また、各無線伝送装置においてクロスコネクトの誤接続確認が可能になる。その理由は、ＳＤＨ信号のＰＯＨ領域及び無線フレームのオーバーヘッド領域にＶＣ−１２又は無線フレームに多重されたＥ１チャネルごとのクロスコネクトの接続先と接続元の装置番号及びチャネル番号を記載したクロスコネクト情報を多重する。そして、各無線伝送装置にて受信したクロスコネクト情報の照合を行うことにより、ＶＣ−１２又は無線フレームに多重されたＥ１チャネルごとにクロスコネクトの誤接続確認が可能になるためである。
【実施例２】
【００６７】
次に、本発明の第２の実施例について、図６を用いて説明する。
【００６８】
図６を参照すると、第２の実施例の無線伝送装置は、図１で示されているＳＤＨデマッピング回路１０及びＳＤＨマッピング回路１７がＰＤＨインタフェース回路６０、６７に変更されている。
【００６９】
ＰＤＨインタフェース回路６０では、入力された送信ＰＤＨ信号６ａに対してインタフェース変換を行い、図１の送信データ信号１ｂと同レベルの信号を生成する。また、ＰＤＨインタフェース回路６７では、図１の受信クロスコネクトデータ信号１ｐと同レベルの信号をインタフェース変換し、受信ＰＤＨ信号６ｒを出力する。なお、本図で示している６１、６２、６３、６４、６５、６６は、図１の１１、１２、１３、１４、１５、１６と同様の機能を有している。
【００７０】
このように本実施例では、第１の実施例と同様に、クロスコネクト制御回路６２で生成されたクロスコネクト情報が、無線フレームのオーバーヘッド領域に多重されて無線対向局へ転送され、無線対向局は、無線フレームのオーバーヘッド領域に多重されたクロスコネクト情報をクロスコネクト制御回路６２にて処理する。このため、自局の無線伝送装置において対向局の無線伝送装置におけるクロスコネクト情報の把握及び設定変更が可能になる。
【００７１】
なお、無線伝送装置の各手段及びクロスコネクト制御回路の各手段の構成は例示であり、同様の処理が可能であれば、任意に統合／分離することができる。例えば、ＳＤＨデマッピング回路と無線フレーム分離回路とを分離手段として統合したり、ＳＤＨデマッピング回路とＳＤＨマッピング回路とを分離／多重手段として統合するなど、適宜変更可能である。
【００７２】
また、上記各実施例では、同期（ＳＤＨ）網と非同期（ＰＤＨ）網とが混在するネットワークに接続される無線伝送装置に関して記載したが、本発明は上記各実施例に限定されるものではなく、オーバーヘッド領域に記載される情報が異なる複数のネットワークに接続される無線伝送装置に対して同様に適用することができる。
【産業上の利用可能性】
【００７３】
本発明は、同期（ＳＤＨ）網と非同期（ＰＤＨ）網とが混在するネットワークに接続される無線伝送装置に限らず、データ形式の異なる複数の通信網が混在するネットワークに接続される任意の無線伝送装置に利用可能である。
【図面の簡単な説明】
【００７４】
【図１】本発明の第１の実施例に係る無線伝送装置の構成を示すブロック図である。
【図２】本発明の第１の実施例に係る無線伝送装置のクロスコネクト制御回路の構成を示すブロック図である。
【図３】本発明の第１の実施例に係る無線伝送装置の送信時の動作を示すフローチャート図である。
【図４】本発明の第１の実施例に係る無線伝送装置の受信時の動作を示すフローチャート図である。
【図５】本発明の第１の実施例に係る無線伝送装置のネットワーク構成例を示す図である。
【図６】本発明の第２の実施例に係る無線伝送装置の構成を示すブロック図である。
【符号の説明】
【００７５】
１  ＳＤＨ入力コネクタ
１ａ  送信ＳＤＨ信号
１ｂ、６ｂ  送信データ信号
１ｃ、６ｃ  送信ＰＯＨ信号
１ｄ、６ｄ  クロスコネクト制御信号
１ｅ、６ｅ  送信クロスコネクトデータ信号
１ｆ、６ｆ  送信無線オーバーヘッド信号
１ｇ、６ｇ  送信無線フレーム信号
１ｈ、６ｈ  送信無線信号
１ｊ、６ｊ  受信無線信号
１ｋ、６ｋ  受信無線フレーム信号
１ｍ、６ｍ  受信データ信号
１ｎ、６ｎ  受信無線オーバーヘッド信号
１ｐ、６ｐ  受信クロスコネクトデータ信号
１ｑ、６ｑ  受信ＰＯＨ信号
１ｒ  受信ＳＤＨ信号
２  ＳＤＨ出力コネクタ
２ａ  送信ＳＤＨクロスコネクト情報信号
２ｂ  受信無線クロスコネクト情報信号
２ｃ  オペレータ制御信号
２ｄ  送信無線クロスコネクト情報信号
２ｅ  受信無線クロスコネクト情報信号
５ａ、５ｂ、５ｃ、５ｄ  ＳＤＨインタフェースコネクタ
６ａ  送信ＰＤＨ信号
６ｒ  受信ＰＤＨ信号
１０  ＳＤＨデマッピング回路
１１、６１  クロスコネクト処理回路
１２、６２  クロスコネクト制御回路
１３、６３  無線フレーム多重回路
１４、６４  無線送信回路
１５、６５  無線受信回路
１６、６６  無線フレーム分離回路
１７  ＳＤＨマッピング回路
２０  パスオーバーヘッド分離回路
２１  無線オーバーヘッド分離回路
２２  オペレータ入力回路
２３  クロスコネクト制御信号生成回路
２４  無線オーバーヘッド多重回路
２５  パスオーバーヘッド多重回路
５０、５１、５２、５３  無線伝送装置
６０  ＰＤＨインタフェース回路
６７  ＰＤＨインタフェース回路
５００、５０１、５０２、５０３  無線伝送路
【図１】
0005298544.tif 000002
【図２】
0005298544.tif 000003
【図３】
0005298544.tif 000004
【図４】
0005298544.tif 000005
【図５】
0005298544.tif 000006
【図６】
0005298544.tif 000007